(57)【要約】本発明は人間工学的マウスに関する。ケースと動作面との接触面が下底面であり、ケースと手との接触面が上表面であり、当該上表面は、人差し指と接触する人差し指接触面と、手の平と接触する掌部接触面と、ケースの内側に設けられ且つ親指と接触する親指接触面とを有し、当該ケースの前端の外側には指を載置するための切欠部が形成されており、通常、中指の前端を当該切欠部に載置する。本発明は、手の「休憩位置」の理論を十分に応用したので、使用中に手に快適感を与えることができ、マウスの移動が安定的である。
2011510384.tif 000002
【特許請求の範囲】
【請求項１】
ケースと動作面との接触面が下底面であり、ケースと手との接触面が上表面であり、当該上表面は、人差し指と接触する人差し指接触面と、手の平と接触する掌部接触面と、ケースの内側に設けられ且つ親指と接触する親指接触面とを有する人間工学的マウスであって、当該ケースの前端の外側には指を載置するための切欠部が形成されていることを特徴とする人間工学的マウス。
【請求項２】
外側ボタンをさらに有し、当該外側ボタンは、上記切欠部の側壁に設置されていることを特徴とする請求項１に記載の人間工学的マウス。
【請求項３】
上記切欠部の側壁は、マウスの縦方向に沿い且つマウスの外側に向かう縦方向側壁およびマウスの横方向に沿い且つマウスの前方に向かう横方向側壁を有することを特徴とする請求項２に記載の人間工学的マウス。
【請求項４】
上記外側ボタンが上記横方向側壁に設けられていることを特徴とする請求項３に記載の人間工学的マウス。
【請求項５】
上記横方向側壁の下部は、マウスの後端に向かって窪んでいることを特徴とする請求項３に記載の人間工学的マウス。
【請求項６】
上記横方向側壁の幅は、中指の幅に近付いていることを特徴とする請求項３に記載の人間工学的マウス。
【請求項７】
上記ケースの外側と薬指との接触部位は外側接触面であり、当該外側接触面は内側方向に窪んでいることを特徴とする請求項１から６の何れか一項に記載の人間工学的マウス。
【請求項８】
上記人差し指接触面にはホイールおよび内側ボタンが設けられていることを特徴とする請求項１から６の何れか一項に記載の人間工学的マウス。
【請求項９】
上記内側ボタンは上記ホイールの外側に設けられていることを特徴とする請求項８に記載の人間工学的マウス。
【請求項１０】
上記動作面に対する上記親指接触面の角度は６０度〜９０度であることを特徴とする請求項１から６の何れか一項に記載の人間工学的マウス。
【発明の詳細な説明】
【技術分野】
【０００１】
本発明はパソコンデータ入力装置に関し、特に人間工学的マウスに関する。
【背景技術】
【０００２】
図１に示すように、人の手を「休憩位置」に載せたとき、指、橈、手首の関節を曲げたり、斜めにしたり、および親指を外側に広げたり、内側に曲げたりしてもバランスを取って、安定的な状態になる。具体的には、手首の水平状態を保ちかつ手の平を下向きにしたとき、親指以外の四つの指の指先を段階状に並べると、人差し指の指先が一番前に位置し、中指の指先が中間に位置し、薬指および小指の指先が最後に位置しており、人差し指はすこし下に曲がられ、中指、薬指、小指の曲げ具合が大きく且つ指先の高さは人差し指の指先より高い。隣接する指の指先同士の距離として、人差し指と中指との距離が一番大きく、親指は外側に少し広げ、親指以外の四つの指同士はくっ付いている。
【０００３】
マウスは、パソコンデータ入力装置としてパソコンに必要な装置になっている。現在、よく知られているマウスの構造として、ケースと動作面（例えば、テーブル面）とが接触する面が底面であり、ケースと手との接触面が上表面であり、その上表面に内側ボタン、外側ボタン（ケース上表面の親指に近付いている側が内側であり、小指に近付いている側が外側である）が設けられ、両ボタンの間にはホイールが設置されている。
【０００４】
また、現在のマウスは殆ど対称形を呈し、主には親指、薬指および手の平による合力でマウスを移動させ、人差し指および中指でボタンを押すため、通常、中指、薬指および小指は伸展状態になり、長期間使用すると下記のような問題点が生じる。
１．手の姿態が硬くなり、長期間使用すると繰り返しひずみ損傷を受ける。
２．中指、薬指および小指は、自然に曲げられた状態にならず、ずっと伸展状態になるので、不快感を生じる。
３．マウスの移動方向は、主には親指および薬指によって制御されるので、マウスの動作が不安定になる。
【発明の概要】
【発明が解決しようとする課題】
【０００５】
本発明は、人間工学的原理を十分に応用したマウスを提供することを目的とし、このようなマウスによれば、使用時に中指、薬指および小指を自然に曲げることができ、中指でマウス動作の制御を補助するので、手が快適である。
【課題を解決するための手段】
【０００６】
本発明は以下のような構成により実現できる。
【０００７】
人間工学的マウスであって、ケースと動作面との接触面が下底面であり、ケースと手との接触面が上表面であり、当該上表面は、人差し指と接触する人差し指接触面と、手の平と接触する掌部接触面と、ケースの内側に設けられ且つ親指と接触する親指接触面とを有し、当該ケースの前端の外側には指を載置するための切欠部が形成されている。
【０００８】
上記構成により、使用中には、通常、中指をマウス前端の外側における切欠部に自然に曲げた状態で載せることができる。また、中指は該切欠部に密着しているため、マウスを保持するに補助的な役割を果たし、マウスの位置決めをより安定的にさせることができる。
本発明の改善案として、
【０００９】
該マウスは上記切欠部の側壁に外側ボタンがさらに設けられている。また、上記切欠部の側壁は、マウスの縦方向に沿い且つマウスの外側に向かう縦方向側壁およびマウスの横方向に沿い且つマウスの前方に向かう横方向側壁を有している。上記外側ボタンは、上記横方向側壁に設けられている。上記横方向側壁の下部は、マウスの後端に向かって窪んでいる。使用時、中指の前端は、当該窪まれた部位に載せられ、後ろに移動して外側ボタンを触ることができる。このような構成により、動作を自然にかつ迅速に行うことができる。
【００１０】
また、横方向側壁は、中指の幅に近付いた幅を有している。そのため、使用時、薬指の曲げ動作に影響を与えなくなる。また、上記ケースの外側と薬指との接触部位は外側接触面であり、当該外側接触面は内側方向に窪んでいる。使用時、薬指を外側接触面の内凹部位に乗せ、薬指は自然的に曲げられた状態になる。
【００１１】
前記人差し指の接触面にはホイールおよび内側ボタンが設けられており、人差し指により当該ホイールおよび内側ボタンが操作される。上記内側ボタンはホイールの外側に設けられ、かつ、上記人差し指の接触面に対して窪んで設けられている。窪まれた部位の形状は人差し指の前端の曲面に似ているため、指は疲労しやすくならない。内側ボタンと外側ボタンとの横方向の距離が近いため、操作時、人差し指と中指とは若干外せるだけでよい。設計または使用上の要望に応じて、内側ボタンをホイールの内側または前方に設けることができる。
上記動作面に対する親指接触面の角度は６０度〜９０度である。使用時、手の平の全体は外側に傾斜するため、手首が快適な状態になる。
【図面の簡単な説明】
【００１２】
【図１】手の休憩位置時の状態を示す図である。
【図２】本発明の第１の実施形態に係る構造を示す構造図である。
【図３】図２の左視図である。
【図４】図２の右視図である。
【図５】図３の左視図である。
【図６】本発明の第２の実施形態に係る構造を示す構造図である。
【発明を実施するための形態】
【００１３】
第１の実施形態
【００１４】
図２乃至図５に示すように、左手に使用される人間工学的マウスであって、そのケースと動作面との接触面が下底面であり、ケースと手との接触面が上表面であり、当該上表面は、人差し指と接触する人差し指接触面１と、手の平と接触する掌部接触面２と、ケースの内側に設けられ且つ親指と接触する親指接触面３とを有し、当該ケースの前端の外側には指を載置するための切欠部４が形成されている。
【００１５】
そのうち、切欠部４の側壁は、マウスの縦方向に沿い且つマウスの外側に向かう縦方向側壁８およびマウスの横方向に沿い且つマウスの前方に向かう横方向側壁９を有し、横方向側壁９は、中指の幅に近付いた幅を有し、かつその下部がマウスの後端に向かって窪んでおり、縦方向側壁８、親指接触面３の動作面に対する角度は８５°であり、ケースの外側と薬指との接触部位が外側接触面１０となり、当該外側接触面１０は内側に窪んで形成されている。さらに、該マウスは、外側ボタン５、内側ボタン６およびホイール７を有し、当該外側ボタン５は切欠部４の横方向側壁９上に設けられ、内側ボタン６およびホイール７は、すべて人差し指接触面１上に設けられており、内側ボタン６はホイール７の外側に位置しかつ人差し指接触面１に対して窪んでいる。
【００１６】
図１に示すように、使用時、親指は外側に向いて斜めに形成された親指接触面３に密着して載せられ、人差し指は人差し指接触面１上に載せられ、中指は切欠部４内に載せられるので、親指、中指および薬指によって３方向からマウスを保持することで、マウスの動作の安定性を確保することができ、人差し指にて内側ボタン６、ホイール７を操作し、中指にて外側ボタン５を操作する。また、中指が切欠部４に載せられたとき、中指は自然な曲げ状態になるので、中指の疲労を避けることができる。同様に、薬指は内側に窪んだ外側接触面１０上に密着して載せられ、親指は外側に傾斜した親指接触面上に載せられるので、手全体の形状が図１に示す休憩状態時の様子と一致している。これにより、手は快適状態になり、疲労しやすくならない。
第２の実施形態
【００１７】
図６に示すように、右手操作に適するマウスであって、上記第１の実施形態の構造と対称した構造を有している。ここで、その原理および実施形態は第１の実施形態と同様であるため、詳しい説明は省略する。
【符号の説明】
【００１８】
１：人差し指接触面
２：掌部接触部
３：親指接触面
４：切欠部
５：外側ボタン
６：内側ボタン
７：ホイール
８：縦方向側壁
９：横方向側壁
１０：外側接触面
【図１】
2011510384.tif 000003
【図２】
2011510384.tif 000004
【図３】
2011510384.tif 000005
【図４】
2011510384.tif 000006
【図５】
2011510384.tif 000007
【図６】
2011510384.tif 000008
【国際調査報告】
2011510384.tif 000009
2011510384.tif 000010
2011510384.tif 000011
2011510384.tif 000012